(57)【特許請求の範囲】
【請求項１】
第１のケース部と、第２のケース部と、第１の磁性体と、第２の磁性体とを含むノイズ吸収装置であって、
前記第１のケース部は、収納部を有し、前記収納部は、底面板と、側面板とによって囲まれ、前記底面板と対向する側が開口部となっており、
前記第２のケース部は、収納部を有し、前記収納部は、底面板と、側面板とによって囲まれ、前記底面板と対向する側が開口部となっており、
前記第１のケース部及び前記第２のケース部は、前記収納部の前記開口部が互いに向き合い、
前記第１の磁性体は、一面に、凹溝と、２つの接触面とを備え、前記凹溝は一方向に延び両端が開放されており、前記２つの接触面は前記凹溝の両側において前記凹溝の底面から立ち上がり前記凹溝に沿って延びており、
前記第１の磁性体は、前記第１のケース部の前記収納部内に収納され、前記一面が前記第１のケース部の前記開口部を通して、外部に現れており、
前記第２の磁性体は、一面に、凹溝と、２つの接触面とを備え、前記凹溝は一方向に延び両端が開放されており、前記２つの接触面は前記凹溝の両側において前記凹溝の底面から立ち上がり前記凹溝に沿って延びており、
前記第２の磁性体は、前記第２のケース部の前記収納部内に収納され、前記一面が前記第２のケース部の前記開口部を通して外部に現れており、
前記第１の磁性体及び前記第２の磁性体の前記接触面は、前記第１のケース及び、前記第２のケース部に備えられた掛止手段を互いに掛け止めたとき、互いに対向して密着する関係にあり、
前記第１のケース部及び前記第２のケース部の少なくとも一方は、前記凹溝の両側の内の少なくとも一方と、前記接触面との境界付近に対応する位置に、ストッパを有し、前記ストッパは前記凹溝側の端面が、前記境界よりも、前記凹溝寄りに位置し、前記凹溝内に配置されるフラットケーブルの位置ずれを規制する、
ノイズ吸収装置。
【請求項２】
請求項１に記載されたノイズ吸収装置であって、
前記側面板の一つがヒンジ部で互に連結され、前記ヒンジ部を有する前記側面板と向き合う他の側面板に、互いに掛け止められる掛止手段を有する、
ノイズ吸収装置。
【請求項３】
請求項１または２の何れかに記載されたノイズ吸収装置であって、
前記ストッパは、前記第１のケース部及び前記第２のケース部の少なくとも一方の側面板の端縁に形成されている、
ノイズ吸収装置。
【請求項４】
請求項１乃至３の何れかに記載されたノイズ吸収装置であって、
前記ストッパは、先端が、前記凹溝の方向に突き出ている、
ノイズ吸収装置。
【請求項５】
請求項１乃至４の何れかに記載されたノイズ吸収装置であって、
前記第１のケース部は、前記ストッパを有しており、
前記第２のケース部は、前記ストッパに対応する部分に、切欠部を有しており、
前記切欠部は、前記第１のケース部及び前記第２のケース部が前記掛止手段によって掛け止められたとき、前記ストッパに対する逃げ部を構成する
ノイズ吸収装置。
【請求項６】
請求項１乃至５の何れかに記載されたノイズ吸収装置であって、
ケースずれ防止機構を含み、前記ケースずれ防止機構は、前記第１のケース部及び前記第２のケース部の間に構成され、両者が前記掛止手段によって掛け止められたとき、両者のずれを防止する
ノイズ吸収装置。
【請求項７】
請求項６に記載されたノイズ吸収装置であって、
前記ケースずれ防止機構は、前記掛止手段を有する側に備えられている
ノイズ吸収装置。
【請求項８】
請求項１乃至５の何れかに記載されたノイズ吸収装置であって、
前記ケースずれ防止機構は、前記第１のケース部及び前記第２のケース部の一方の側面板に突設された突起と、他方に形成された凹部とによって構成される
ノイズ吸収装置。
【発明の詳細な説明】
【０００１】
【発明の属する技術分野】
本発明は、フラットケーブル用のノイズ吸収装置に関する。本発明に係るノイズ吸収装置は、フラットケーブル内を伝播するノイズを吸収する。
【０００２】
【従来の技術】
この種のフラットケーブル用ノイズ吸収装置は、ヒンジ部で相互に連結された上ケース部及び下ケース部に、半割り状の磁性体をそれぞれ収納してある。磁性体のそれぞれは、フラットケーブル挿通路となる凹溝を有し、凹溝の両側に、接触面を有している。
【０００３】
フラットケーブルへの装着に当たっては、上ケース部及び下ケース部に備えられた掛止手段を開放することにより、上ケース部及び下ケース部を開き、２つ備えられている磁性体の一方の凹溝内に、フラットケーブルを配置する。そして、上ケース部及び下ケース部を閉じ、両者間に備えられた掛止手段を掛け止める。これにより、フラットケーブルが２つの磁性体の間に挟まれた状態になる。２つの磁性体において、凹溝の両側に位置する接触面が、上ケース部及び下ケース部から加わるバネ圧により、互いに密着し、フラットケーブルの周りに、両磁性体による磁路が形成される。
【０００４】
【発明が解決しようとする課題】
この種のフラットケーブル用ノイズ吸収装置の問題点は、フラットケーブル挿通路を構成する凹溝の底面と、この底面から浮き上がる平坦な接触面との間の段差が、フラットケーブルの厚みに対応した小さな寸法になっているために、フラットケーブルへ装着する際、フラットケーブルが段差を越えて接触面の方向に移動し、接触面の間で、挟み込まれてしまい易いことである。
【０００５】
このような不正配置は、フラットケーブルの外皮に損傷を与える。また、フラットケーブル挟み込みのために、２つの磁性体の間に磁気的ギャップが生じてしまい、特性劣化を招く。
【０００６】
上述した不具合を回避するには、フラットケーブルへの装着作業に十分な注意を払わなければならず、装着作業性が低下する。
【０００７】
実公昭６２ー１４７７０号公報、実開平７ー２７５５号公報、及び、実開平６ー６２５１５号公報等は、この種のフラットケーブル用ノイズ吸収装置を開示しているが、フラットケーブルの挟み込みを回避する手段は開示していない。
【０００８】
本発明の課題は、フラットケーブルが２つの磁性体に備えられた接触面の間で挟み込まれるのを確実に阻止し得るフラットケーブル用ノイズ吸収装置を提供することである。
【０００９】
本発明のもう１つの課題は、ケーブル外皮の損傷、フラットケーブル挟み込みに起因する特性劣化を招くことのないフラットケーブル用ノイズ吸収装置を提供することである。
【００１０】
本発明の更にもう一つの課題は、フラットケーブルへの装着作業性を向上させ得るフラットケーブル用ノイズ吸収装置を提供することである。
【００１１】
【課題を解決するための手段】
上述した課題を解決するため、本発明に係るノイズ吸収装置は、第１のケース部と、第２のケース部と、第１の磁性体と、第２の磁性体とを含む。
【００１２】
前記第１のケース部は、収納部を有し、前記収納部は、底面板と、側面板とによって囲まれ、前記底面板と対向する側が開口部となっている。同様に、前記第２のケース部は、収納部を有し、前記収納部は、底面板と、側面板とによって囲まれ、前記底面板と対向する側が開口部となっている。前記第１のケース部及び前記第２のケース部は、前記収納部の前記開口部が互いに向き合い、前記側面板の一つがヒンジ部で相互に連結され、前記ヒンジ部を有する前記側面板と向き合う他の側面板に、互いに掛け止められる掛止手段を有している。
【００１３】
前記第１の磁性体は、一面に、凹溝と、２つの接触面とを備え、前記凹溝は一方向に延び両端が開放されており、前記２つの接触面は前記凹溝の両側において前記凹溝の底面から立ち上がり前記凹溝に沿って延びている。前記第１の磁性体は、前記第１のケース部の前記収納部内に収納され、前記一面が前記第１のケース部の前記開口部を通して、外部に現れる。
【００１４】
前記第２の磁性体は、一面に、凹溝と、２つの接触面とを備え、前記凹溝は一方向に延び両端が開放されており、前記２つの接触面は前記凹溝の両側において前記凹溝の底面板から立ち上がり前記凹溝に沿って延びている。前記第２の磁性体は、前記第２のケース部の前記収納部内に収納され、前記一面が前記第２のケース部の前記開口部を通して外部に現れている。
【００１５】
前記第１の磁性体及び前記第２の磁性体の前記接触面は、前記掛止手段を掛け止めたとき、互いに対向して密着する関係にある。
【００１６】
前記第１のケース部及び前記第２のケース部の少なくとも一方は、前記凹溝の両側の内の少なくとも一方と、前記接触面との境界付近に対応する位置に、ストッパを有し、前記ストッパは前記凹溝内に配置されるフラットケーブルの位置ずれを規制する。
【００１７】
上述したように、第１及び第２のケース部は収納部を有し、第１及び第２の磁性体は、第１及び第２のケース部の収納部内にそれぞれ収納さているので、第１及び第２のケース部に、第１及び第２の磁性体をそれぞれ組み合わせたノイズ吸収装置が得られる。
【００１８】
第１及び第２のケース部の収納部は、底面板と、側面板とによって囲まれているので、第１及び第２の磁性体が第１及び第２のケース部による保護作用を受け、その破損が防止される。また、第１及び第２の磁性体に、第１及び第２のケース部によるバネ圧を加えることができる。
【００１９】
第１及び第２のケース部の収納部は、底面板と対向する側が開口部となっているので、第１及び第２の磁性体を、第１及び第２のケース部の開口部を通して、その収納部内に、容易に組み込むことができる。
【００２０】
第１及び第２のケース部は、収納部の開口部が互いに向き合い、側面板の一つがヒンジ部で相互に連結されているので、第１及び第２のケース部はヒンジ部を支点にして、開閉できる。しかも、第１及び第２のケース部は、ヒンジ部を有する側面板と向き合う他の側面板に、互いに掛け止められる掛止手段を有しているから、第１及び第２のケース部を閉じ、掛止手段を互いに掛け止めることができる。従って、フラットケーブルへの装着に当たって、第１及び第２のケース部に備えられた掛止手段を開放することにより、第１及び第２のケース部を開き、第１及び第２のケース部の間にフラットケーブルを配置し、フラットケーブルを配置した後、第１のケース部及び第２のケース部を閉じ、両者間に備えられた掛止手段を掛け止めることができる。
【００２１】
第１及び第２の磁性体は、凹溝と、２つの接触面とを備える一面が、第１及び第２のケース部の開口部を通して、外部に現れているから、第１及び第２のケース部を開いた場合、２つ備えられている磁性体の間に、フラットケーブルを配置することができる。また、第１及び第２のケース部を閉じ、両者間に備えられた掛止手段を掛け止めた場合、フラットケーブルが２つの磁性体の間に挟まれた状態になる。
【００２２】
第１及び第２の磁性体において、凹溝は一方向に延び両端が開放されており、２つの接触面は凹溝の両側において凹溝の底面から立ち上がり凹溝に沿って延びている。この構造によれば、フラットケーブルを凹溝内に配置すると共に、フラットケーブルを凹溝の両端から外部に導出することができる。また、フラットケーブルの幅方向の両側を、凹溝の底面と接触面との間に生じる段差によって押えることができる。
【００２３】
第１及び第２の磁性体の接触面は、第１及び第２のケース部に備えられた掛止手段を掛け止めたとき、互いに対向して密着する関係にある。このため、掛止状態では、フラットケーブルの周りに、両磁性体による閉磁路が形成される。この閉磁路により、電子機器内で発生し、または、外部で発生して、フラットケーブル内を伝播するノイズが吸収される。第１及び第２の磁性体に対しては、第１及び第２のケース部のバネ圧が加わるので、第１及び第２の磁性体の接触面が前記バネ圧を受けて密着する。これにより、フラットケーブルの周りに、磁気効率の高い磁路が形成される。
【００２４】
第１のケース部及び第２のケース部の少なくとも一方は、凹溝の両側の内の少なくとも一方と、接触面との境界付近に対応する位置に、ストッパを有し、ストッパは凹溝内に配置されるフラットケーブルの位置ずれを規制する。
【００２５】
上記構造によれば、フラットケーブル挿通路を構成する凹溝の底面と、この底面から浮き上がる平坦な接触面との間の段差が、フラットケーブルの厚みに対応した小さな寸法になっている構造において、フラットケーブルへ装着する際、フラットケーブルが段差を越えて接触面の方向に移動するのを、ストッパによって阻止できる。このため、フラットケーブルが２つの磁性体に備えられた接触面の間で、挟み込まれるのを確実に阻止し得る。
【００２６】
従って、磁性体の接触面の間で、フラットケーブルが挟み込まれるのを確実に阻止し、ケーブル外皮の損傷、フラットケーブル挟み込みに起因する特性劣化を回避することができる。しかも、フラットケーブルの挟み込みに注意する必要がなくなるので、フラットケーブルへの装着作業性が向上する。
【００２７】
本発明は、更に、ケース部、磁性体及びストッパの好ましい態様、これらを構成するのに好ましい材料等について、開示する。本発明の他の目的、構成及び利点は添付された図面を参照して、更に詳しく説明する。
【００２８】
【発明の実施の形態】
図１は本発明に係るフラットケーブル用ノイズ吸収装置の開いた状態を示す部分破断斜視図、図２は図１に示したフラットケーブル用ノイズ吸収装置の閉じた状態を示す斜視図である。図を参照すると、本発明に係るノイズ吸収装置は、第１のケース部１と、第２のケース部２と、第１の磁性体３と、第２の磁性体４とを含む。
【００２９】
図３は図１、２に示したノイズ吸収装置に含まれるケース部の部分破断斜視図である。図３を参照すると、第１のケース部１は、収納部１０を有する。収納部１０は、底面板１１と、側面板１２〜１５とによって囲まれ、底面板１１と対向する側が開口部となっている。同様に、第２のケース部２は、収納部２０を有する。収納部２０は、底面板２１と、側面板２２〜２５とによって囲まれ、底面板２１と対向する側が開口部となっている。
【００３０】
第１のケース部１及び第２のケース部２は、非磁性材料によって構成する。好ましい非磁性材料の例はプラスチックである。プラスチックであると、量産性が確保できると共に、適度のバネ性が得られる。
【００３１】
第１のケース部１及び第２のケース部２は、収納部１０、２０の開口部が互いに向き合い、側面板１２と側面板２２がヒンジ部５（図２参照）で相互に連結されている。ヒンジ部５を有する側面板１２、２２と向き合う側面板１３、２３には、互いに掛け止められる掛止手段６１、６２を有している。
【００３２】
第１のケース部１は、凹溝３０の両側の内の少なくとも一方と、接触面３１との境界付近に対応する位置に、ストッパ１６を有する。第２のケース部２はストッパ１６に対応する部分に、切欠部２６を有している。ストッパ１６は、第２のケース部２に設けてもよい。この場合には、第１のケース部１に切欠部２６を設ける。
【００３３】
図４はストッパ１６の部分を拡大して示す図である。実施例において、ストッパ１６は側面板１４、１５のそれぞれに備えられている。ストッパ１６は、先端が折れ曲がり、凹溝３０の方向に突き出ている。ストッパ１６は、側面板１４、１５の端縁を延長することによって形成されている。これとは異なって、側面板１４、１５の外面または内面に付加することによって形成してもよい。側面板１４に備えられたストッパ１６の側部には、スリット１４２が設けられている。側面板１５に備えられたストッパ１６の側部には、スリット１５２が設けられている。
【００３４】
実施例において、第１のケース部１の底面板１１には、部分的切り抜きによるバネ片１１１、１１２を有する。また、側面板１５の内面に第１の磁性体３を掛け止める突起１５１が設けられている。突起１５１の両側には、スリット１５３が設けられている。側面板１４の内面にも同様の突起１４１が備えられており、その両側にスリット１４３が備えられている。更に、第２のケース部２の底面板２１には、部分的切り抜きによるバネ片２１１、２１２を有する。
【００３５】
図１〜３には現れていないけれども、第２のケース部２の側面板２４、２５の内面にも、第２の磁性体４を掛け止める突起が設けられ、突起の両側にスリット２４３（側面板２４の場合）が設けられている。
【００３６】
図５は本発明に係るノイズ吸収装置に用いられる磁性体の斜視図である。図を参照すると、第１の磁性体３は、一面に、凹溝３０と、２つの接触のための面（以下接触面と称する）３１、３２とを備える。凹溝３０は一方向に延び両端が開放されている。接触面３１、３２は凹溝３０の両側において凹溝３０の底面から立ち上がり、凹溝３０に沿って延びている。第１の磁性体３は、第１のケース部１の収納部１０の内部に収納され、一面が第１のケース部１の開口部を通して、外部に現れる。
【００３７】
第２の磁性体４は、第３の磁性体３と同じ形状を有している。図５では、第２の磁性体４の構成部分を指示する参照符号を、括弧内に入れて、表示してある。括弧内参照符号で示されるように、第２の磁性体４も、一面に、凹溝４０と、２つの接触面４１、４２とを備える。凹溝４０は一方向に延び両端が開放されている。接触面４１、４２は凹溝４０の両側において、凹溝４０の底面から立ち上がり、凹溝４０に沿って延びている。第２の磁性体４は、第２のケース部２の収納部２０の内部に収納され、一面が第２のケース部２の開口部を通して外部に現れている。
【００３８】
第１及び第２の磁性体３、４の接触面（３１、３２）、（４１、４２）のうち、接触面３１と接触面４１、及び、接触面３２と接触面４２とは、第１および第２のケース部１、２の掛止手段６１、６２を掛け止めたとき、互いに対向して密着する関係にある。
【００３９】
第１の磁性体３及び第２の磁性体４としては、例えば、フェライト磁性材料、金属磁性材料、複合磁性材料等の各種の磁性材料を用いることができる。複合磁性材料としては、フェライト粉または金属磁性粉と、合成樹脂とを混合した複合材料の例を挙げることができる。これらの磁性材料は、吸収しようとするノイズの周波数成分に応じて、適宜選択使用することができる。
【００４０】
実施例において、第１の磁性体３及び第２の磁性体４は、全体として、４角形状であるが、他の形状であってもよい。第１の磁性体３は、第１のケース部１の側面板１４の内面に備えられた突起に掛け止められる凹部３３を有する。第２の磁性体４も、同様の凹部４３を有する。
【００４１】
上述したように、第１及び第２のケース部１、２は収納部１０、２０を有し、第１及び第２の磁性体３、４は、第１及び第２のケース部１、２の収納部１０、２０の内部にそれぞれ収納さているので、第１及び第２のケース部１、２に、第１及び第２の磁性体３、４をそれぞれ組み合わせたノイズ吸収装置が得られる。
【００４２】
第１のケース部１の収納部１０は、底面板１１と、側面板１２〜１５とによって囲まれているので、第１の磁性体３が第１のケース部１による保護作用を受け、その破損が防止される。第２のケース部２の収納部２０も、底面板２１と、側面板２２〜２５とによって囲まれているので、第２の磁性体４が第２のケース部２による保護作用を受け、その破損が防止される。
【００４３】
また、第１及び第２の磁性体３、４に、第１及び第２のケース部１、２によるバネ圧を加えることができる。実施例に示すように、第１のケース部１の底面板１１にバネ片１１１、１１２を設け、第２のケース部２の底面板２１にバネ片２１１、２１２を設けた場合、第１の磁性体３及び第２の磁性体４に対して、バネ片１１１、１１２、２１１、２１２によるバネ圧を加えることができるので、第１の磁性体３の接触面３１と第２の磁性体４の接触面４１、及び、第１の磁性体３の接触面３２と、第２の磁性体４の接触面４２とを密着させ、磁気効率を向上させることができる。また、スリット１４２、１５２も、第１及び第２の磁性体３、４に対するバネ圧を印加する役割を担っている。スリット１４３、１５３は、第１及び第２のケース部材１、２のそれぞれに対する第１及び第２の磁性体３、４の挿入を容易化するために備えられている。
【００４４】
第１及び第２のケース部１、２の収納部１０、２０は、底面板１１、２１と対向する側が開口部となっているので、第１及び第２の磁性体３、４を、第１及び第２のケース部１、２の開口部を通して、その収納部１０、２０の内部に、それぞれ、容易に組み込むことができる。
【００４５】
図６は本発明に係るノイズ吸収装置をフラットケーブルに装着する際の操作を説明する斜視図、図７は図６の状態からケース部を閉じた状態を示す図、図８は図６、７に示した使用状態における正面断面図である。本発明に係るノイズ吸収装置において、第１及び第２のケース部１、２は、収納部１０、２０の開口部が互いに向き合い、側面板１２、２２がヒンジ部５で相互に連結されているので、第１及び第２のケース部１、２はヒンジ部５を支点にして、開閉できる。しかも、第１及び第２のケース部１、２は、ヒンジ部５を有する側面板１２、２２と向き合う他の側面板１３、２３に、互いに掛け止められる掛止手段６１、６２を有しているから、第１及び第２のケース部１、２を閉じ、掛止手段６１、６２を互いに掛け止めることができる。
【００４６】
従って、フラットケーブルＦＣへの装着に当たって、図６に示すように、第１及び第２のケース部１、２に備えられた掛止手段６１、６２を開放することにより、第１及び第２のケース部１、２を開き、第１ケース部１及び第２のケース部２の間にフラットケーブルＦＣを配置することができる。
【００４７】
また、図７、８に示すように、フラットケーブルＦＣを配置した後、第１のケース部１及び第２のケース部２を閉じ、両者１ー２間に備えられた掛止手段６１、６２を掛け止めることができる。
【００４８】
第１及び第２の磁性体３、４は、凹溝３０、４０と、２つの接触面（３１、３２）、（４１、４２）とを備える一面が、第１及び第２のケース部１、２の開口部を通して、外部に現れているから、第１及び第２のケース部１、２を開いた場合、２つ備えられている磁性体３、４の間に、フラットケーブルＦＣを配置することができる。また、第１及び第２のケース部１、２を閉じ、両者１ー２間に備えられた掛止手段６１、６２を掛け止めた場合、フラットケーブルＦＣが２つの磁性体３、４の間に挟まれた状態になる。
【００４９】
第１及び第２の磁性体３、４において、凹溝３０、４０は一方向に延び、両端が開放されており、２つの接触面（３１、３２）、（４１、４２）は凹溝３０、４０の両側において、凹溝３０、４０の底面から立ち上がり、凹溝３０、４０に沿って延びている。この構造によれば、フラットケーブルＦＣを凹溝３０、４０の内部に配置すると共に、フラットケーブルＦＣを凹溝３０、４０の両端から外部に導出することができる。また、フラットケーブルＦＣの幅方向の両側を、凹溝３０、４０の底面と、接触面（３１、３２）、（４１、４２）との間に生じる段差によって押えることができる。
【００５０】
第１の磁性体３の接触面３１、及び、第２の磁性体４の接触面４１は、第１及び第２のケース部１、２に備えられた掛止手段６１、６２を掛け止めたとき、互いに対向して密着する関係にある。第１の磁性体３の接触面３２、及び、第２の磁性体４の接触面４２も、掛止手段６１、６２を掛け止めたとき、互いに対向して密着する関係にある。
【００５１】
このため、掛止状態では、図８に示すように、フラットケーブルＦＣの周りに、両磁性体３、４による閉磁路φが形成される。この閉磁路φにより、電子機器内で発生し、または、外部で発生して、フラットケーブルＦＣ内を伝播するノイズが吸収される。実施例の場合、第１の磁性体３及び第２の磁性体４に対して、バネ片１１１、１１２、２１１、２１２によるバネ圧が加わるので、第１の磁性体３の接触面３１と第２の磁性体４の接触面４１、及び、第１の磁性体３の接触面３２と、第２の磁性体４の接触面４２とを密着させることができる。これにより、フラットケーブルＦＣの周りに、磁気効率の高い閉磁路φが形成される。
【００５２】
更に、第１のケース部１は、凹溝３０の両側の内の少なくとも一方と、接触面３１との境界付近に対応する位置に、ストッパ１６を有する。ストッパ１６は凹溝３０内に配置されるフラットケーブルＦＣの位置ずれを規制する。
【００５３】
図９はストッパ１６の部分を拡大して示す部分破断面図、図１０はストッパ１６の部分を拡大して示す図である。フラットケーブル用ノイズ吸収装置では、図９、１０に示すように、フラットケーブル挿通路を構成する凹溝３０の底面と、この底面から浮き上がる平坦な接触面３１との間の段差△ｄが、フラットケーブルＦＣの厚みＴに対応した小さな寸法になっている。このような構造において、本発明に係るノイズ吸収装置は、ストッパ１６を有するので、ノイズ吸収装置をフラットケーブルＦＣへ装着する際（図６参照）、フラットケーブルＦＣが段差△ｄを越えて接触面３１の方向に移動するのを、ストッパ１６によって阻止できる。このため、フラットケーブルＦＣが、第１の磁性体３に備えられた接触面３１と、第２の磁性体４の接触面４１との間で、挟み込まれるのを確実に阻止し得る。
【００５４】
従って、本発明によれば、フラットケーブルＦＣが、第１の磁性体３の接触面３１、３２と、第２の磁性体４の接触面４１、４２との間で挟み込まれるのを確実に阻止し、ケーブル外皮の損傷、フラットケーブル挟み込みに起因する特性劣化を回避することができる。しかも、フラットケーブルＦＣの挟み込みに注意する必要がなくなるので、フラットケーブルＦＣへの装着作業性が向上する。
【００５５】
ストッパ１６は、図９、１０に示すように、凹溝３０の側の内端面１６１が、境界Ｐよりも、凹溝３０の側に位置する。この構造によれば、フラットケーブルＦＣが第１の磁性体３の接触面３１、３２と、第２の磁性体４の接触面４１、４２との間で挟み込まれるのを、より確実に阻止できる。
【００５６】
図１〜３を参照すると、第２のケース部２はストッパ１６に対応する部分に、切欠部２６を有している。第１のケース部１及び第２のケース部２を閉じる際、ストッパ１６が切欠部２６の内部に入るので、第１のケース部１及び第２のケース部２をスムーズに閉じることができる。
【００５７】
更に、図１、２に図示されたノイズ吸収装置は、ケースずれ防止機構１７、２７を含む。ケースずれ防止機構１７、２７は、第１のケース部１及び第２のケース部２の間に構成され、両者１、２が掛止手段６１、６２によって掛け止められたとき、両者１、２のずれを防止する。
【００５８】
図１１〜１４はケースずれ防止機構部分を拡大して示す図である。実施例において、ケースずれ防止機構１７、２７は、掛止手段６１、６２を有する側に備えられている。ケースずれ防止機構１７、２７の内、ケースずれ防止機構１７は、図１１に示すように、第１のケース部１に備えられた凹部１７によって構成されている。ケースずれ防止機構２７は、図１２に示すように、第２のケース部２に備えられた突起２７によって構成されている。
【００５９】
第１のケース部１及び第２のケース部２を閉じると、図１３、１４に示すように、突起２７が凹部１７の内部に入るので、第１のケース部１及び第２のケース部２が掛止手段６１、６２によって掛け止められたとき、方向Ｆ１またはＦ２への両者１、２の捩じれや、ずれが防止される。
【００６０】
図１５は本発明に係るノイズ吸収装置の別の実施例を示す部分破断斜視図である。図において、図１に図示された構成部分と同一の構成部分については、同一の参照符号を付してある。この実施例の特徴は、ストッパ１６を、掛止手段６１のある側面板１３の側に設けたことである。従って、この実施例の場合も、フラットケーブルＦＣがストッパ１６により位置規制されるので、第１の磁性体３に備えられた接触面３１、３２と、第２の磁性体４に備えられた接触面４１、４２との間で挟み込まれるのを確実に阻止し得る。
【００６１】
【発明の効果】
以上述べたように、本発明によれば、次のような効果を得ることができる。
（ａ）フラットケーブルが２つの磁性体に備えられた接触面の間で、挟み込まれるのを確実に阻止し得るフラットケーブル用ノイズ吸収装置を提供することができる。
（ｂ）ケーブル外皮の損傷、フラットケーブル挟み込みに起因する特性劣化を招くことのないフラットケーブル用ノイズ吸収装置提供することができる。
（ｃ）フラットケーブルへの装着作業性を向上させ得るフラットケーブル用ノイズ吸収装置を提供することができる。
【図面の簡単な説明】
【図１】本発明に係るフラットケーブル用ノイズ吸収装置の開いた状態を示す部分破断斜視図である。
【図２】図１に示したフラットケーブル用ノイズ吸収装置の閉じた状態を示す斜視図である。
【図３】図１、２に示したノイズ吸収装置に含まれるケース部の部分破断斜視図である。
【図４】図１、２に示したノイズ吸収装置のストッパの部分を拡大して示す斜視図である。
【図５】本発明に係るノイズ吸収装置に用いられる磁性体の斜視図である。
【図６】本発明に係るノイズ吸収装置をフラットケーブルに装着する際の操作を説明する斜視図である。
【図７】図６の状態からケース部を閉じた状態を示す斜視図図である。
【図８】図６、７に示した使用状態における正面断面図である。
【図９】図６の使用状態におけるストッパの部分を拡大して示す部分破断面図である。
【図１０】図６の使用状態におけるストッパの部分を拡大して示す図である。
【図１１】図１、２に示したノイズ吸収装置の第１のケース部に含まれるケースずれ防止機構部分を拡大して示す斜視図である。
【図１２】図１、２に示したノイズ吸収装置の第２のケース部に含まれるケースずれ防止機構部分を拡大して示す斜視図である。
【図１３】図２の１４ー１４に沿って切断する場合において、閉じる直前の状態を示す断面図である。
【図１４】図２の１４ー１４線に沿った拡大断面図である。
【図１５】本発明に係るノイズ吸収装置の別の実施例を示す部分破断斜視図である。
【符号の説明】
１                    第１のケース部
２                    第２のケース部
３                    第１の磁性体
４                    第２の磁性体
１０                  収納部
１１                  底面板
１２〜１５            側面板
２０                  収納部
２１                  底面板
２２〜２５            側面板
１６                  ストッパ
【図１】
0003794455.tif 000002
【図２】
0003794455.tif 000003
【図３】
0003794455.tif 000004
【図４】
0003794455.tif 000005
【図５】
0003794455.tif 000006
【図６】
0003794455.tif 000007
【図７】
0003794455.tif 000008
【図８】
0003794455.tif 000009
【図９】
0003794455.tif 000010
【図１０】
0003794455.tif 000011
【図１１】
0003794455.tif 000012
【図１２】
0003794455.tif 000013
【図１３】
0003794455.tif 000014
【図１４】
0003794455.tif 000015
【図１５】
0003794455.tif 000016